【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
コンピューター実行可能命令が統合された１つまたは複数のコンピューター読み取り可能媒体であって、前記コンピューター実行可能命令は、実行されると、ツールバーの検索ボックス内に１つまたは複数の提案検索用語を浮上させるための方法を実施し、前記方法は、
オンライン・ウェブ位置を記述する情報を受信するステップと、
前記オンライン・ウェブ位置に対応しユーザーが現在訪問しているウェブサイトのユニフォーム・リソース・ロケーション（ＵＲＬ）に基づいて前記１つまたは複数の提案検索用語を決定するステップであって、前記１つまたは複数の提案検索用語は、関連検索の実施を可能にする、ステップと、
前記１つまたは複数の提案検索用語から少なくとも１つのキーワードを選択するステップと、
前記少なくとも１つの選択されたキーワードを前記ツールバーの前記検索ボックス内に提示して、前記関連検索の少なくとも１つを開始するためにユーザーによって選択されるようにするステップと、
を含む、１つまたは複数のコンピューター読み取り可能媒体。
【請求項２】
前記１つまたは複数の提案検索用語を決定するステップは、前記ＵＲＬを用いてバックエンド・アプリケーション・プログラミング・インターフェース（ＡＰＩ）をコールするステップを含む、請求項１に記載の１つまたは複数のコンピューター読み取り可能媒体。
【請求項３】
前記１つまたは複数の提案検索用語を決定するステップは、更に、前記バックエンドＡＰＩから前記ＵＲＬに関係がある前記１つまたは複数の提案検索用語を受け取るステップを含む、請求項２に記載の１つまたは複数のコンピューター読み取り可能媒体。
【請求項４】
前記オンライン・ウェブ位置は、ユーザーが現在ナビゲートしているウェブサイトのウェブ・ページを表す、請求項１に記載の１つまたは複数のコンピューター読み取り可能媒体。
【請求項５】
前記方法は、更に、第１ウェブ検索サービスによって動作される第１検索エンジンを利用して、前記ユーザーを前記ウェブサイトにナビゲートするステップを含む、請求項４に記載の１つまたは複数のコンピューター読み取り可能媒体。
【請求項６】
前記方法は、更に、第２ウェブ検索サービスによって動作される第２検索エンジンを利用して、前記ツールバーの前記検索ボックス内に提示されるコンテンツを管理するステップを含む、請求項５に記載の１つまたは複数のコンピューター読み取り可能媒体。
【請求項７】
前記オンライン・ウェブ位置は、前記第１検索エンジンに提出されたユーザー開始クエリーに応答して引き出された検索結果ページを表す、請求項５に記載の１つまたは複数のコンピューター読み取り可能媒体。
【請求項８】
前記１つまたは複数の提案検索用語から少なくとも１つのキーワードを選択するステップは、
前記少なくとも１つのキーワードを前記ウェブ位置情報に最も関連があると特定するステップと、
前記１つまたは複数の提案検索用語の残りを、前記ツールバーにおけるユーザーによるアクセスのためにキャッシュに保存するステップと、
を含む、請求項１に記載の１つまたは複数のコンピューター読み取り可能媒体。
【請求項９】
前記少なくとも１つの選択されたキーワードを前記ツールバーの前記検索ボックス内に提示するステップは、
前記少なくとも１つの選択されたキーワードを前記検索ボックス内に既定時間期間の間表示するステップと、
前記既定時間期間の満了時に、前記検索ボックス内において、前記少なくとも１つの選択されたキーワードを前記１つまたは複数の提案検索用語の前記残りからの第１候補と置き換えるステップと、
を含む、請求項８に記載の１つまたは複数のコンピューター読み取り可能媒体。
【請求項１０】
前記少なくとも１つの選択されたキーワードを前記ツールバーの前記検索ボックス内に提示するステップは、更に、
前記１つまたは複数の提案検索用語の前記残りからの前記第１候補を、前記検索ボックス内に既定時間期間の間表示するステップと、
前記既定時間期間の満了時に、前記検索ボックス内において、前記１つまたは複数の提案検索用語の前記残りからの前記第１候補を前記１つまたは複数の提案検索用語の前記残りからの第２候補と置き換えるステップと、
を含む、請求項９に記載の１つまたは複数のコンピューター読み取り可能媒体。
【請求項１１】
前記方法は、更に、
前記ツールバーにおいてユーザー開始選択の指示を受け取るステップと、
前記１つまたは複数の提案検索用語の前記残りを羅列するメニューを提供するステップと、
を含む、請求項８に記載の１つまたは複数のコンピューター読み取り可能媒体。
【請求項１２】
前記方法は、更に、
前記ツールバーにおいてユーザー開始選択の指示を受け取るステップと、
前記少なくとも１つの選択されたキーワードを、クエリーとして入力するのに先立ち前記ユーザーが編集することを可能にするステップと、
を含む、請求項１に記載の１つまたは複数のコンピューター読み取り可能媒体。
【請求項１３】
前記ツールバーにおいてユーザー開始選択の指示を受け取るステップは、前記検索ボックスに向けられたマルチクリック動作を検出するステップを含む、請求項１２に記載の１つまたは複数のコンピューター読み取り可能媒体。
【請求項１４】
演算装置において実装される、ユーザーに１つまたは複数の提案検索用語を自動的に提供するためのコンピューター化方法であって、
ユーザーが現在訪問しているウェブサイトのユニフォーム・リソース・ロケーター（ＵＲＬ）をウェブ・ブラウザー・アプリケーションから抽出するステップと、
関連検索の実施を可能にする前記１つまたは複数の提案検索用語を引き出すために、前記ユーザーが現在訪問している前記ウェブサイトの前記ＵＲＬを、関連がある検索用語を有するＵＲＬを羅列したマニフェストに対して比較するステップであって、
（ａ）前記ＵＲＬに関して前記マニフェスト内のエントリーを調べるステップと、
（ｂ）前記マニフェストのエントリーが前記ＵＲＬと対応する場合、前記エントリーを前記１つまたは複数の提案検索用語に指定するステップと、
（ｃ）前記マニフェストのいずれのエントリーも前記ＵＲＬと対応しない場合、提案検索用語が１つも表示されないことを示す零集合を戻すステップと、
を含むステップと、
前記ユーザーによって選択可能な前記１つまたは複数の提案検索用語をツールバーの検索ボックス内に提示するステップであって、前記ツールバーは、前記ウェブ・ブラウザー・アプリケーションを呼び出すとＵＩ表示に浮上する、ステップと、
を含む、コンピューター化方法。
【請求項１５】
前記ユーザーが現在訪問している前記ウェブサイトの前記ＵＲＬをウェブ・ブラウザー・アプリケーションから抽出するステップは、
検索結果ページ上において宛先リンクのユーザー開始選択を認識するステップと、
前記宛先リンクに関連する前記ＵＲＬ、または前記宛先リンクが目標とする文書の指標を、前記ユーザーが現在訪問している前記ＵＲＬとして採用するステップと、
を含む、請求項１４に記載のコンピューター化方法。
【請求項１６】
１つまたは複数の提案検索用語を発見し、ツールバー内に提示することが可能なコンピューター・システムであって、前記コンピューター・システムは、プロセッサによって実行される複数のコンピューター・ソフトウェア・コンポーネントが統合されたコンピューター記憶媒体を備え、前記コンピューター・ソフトウェア・コンポーネントは、
ウェブ位置へのナビゲーションを開始する宛先リンクへ向けられたユーザー開始選択を受け取るウェブ・ブラウザー・アプリケーションと、
ユニフォーム・リソース・ロケーター（ＵＲＬ）が目標とする前記ウェブ位置にユーザーをナビゲートする、第１ウェブ検索サービスによって動作される第１検索エンジンと、
前記ツールバーの検索ボックス内に提示されるコンテンツを管理する、第２ウェブ検索サービスによって動作される第２検索エンジンと、
を備え、
前記コンテンツを管理することは、
（ａ）前記ユーザーが現在訪問しているウェブサイトの前記ＵＲＬから、関連検索の実施を可能にする１つまたは複数の提案検索用語を決定するステップと、
（ｂ）前記１つまたは複数の提案検索用語から少なくとも１つのキーワードを選択するステップであって、前記少なくとも１つの選択されたキーワードは、前記１つまたは複数の提案検索用語の残りと比較して、前記ユーザーが現在訪問している前記ウェブサイトの前記ＵＲＬに対して最も関連性が高いものとして格付けされる、選択するステップと、
（ｃ）前記少なくとも１つの選択されたキーワードを前記ツールバーの前記検索ボックス内に提示するステップであって、前記少なくとも１つの選択されたキーワードは、前記ユーザーによって選択可能である、提示するステップと、
を含む、コンピューター・システム。